(57)【要約】【課題】  長い年数の練習を要することなく金管楽器を容易に吹くことが可能になるし、高度の技量を要することなく音質が向上し、音にボリュウームがあり、音を遠くに響かせることが可能になる。【解決手段】  マウスピース１は金属材料によりカップ部２と、首部３と、パイプ部４を軸方向に一体に成形し、カップ部２のリム面２Ａからパイプ部４の先端面４Ａにかけて吹込路５を貫通して形成したものからなる。吹込路５の路面のうち、カップ部２に形成したラッパ状流路部５Ａに位置して吹込み整流溝６、パイプ部４に形成したボア部Ｃに位置して吹出し整流溝７が同一直線上に位置して形成してある。各整流溝６、７の溝幅及び溝深さを約０．２ｍｍ以上１ｍｍ以内に設定することにより、トランペットＡ等の金管楽器を吹き易く、また良質の音を出すことができる。【選択図】  図１
0003105230.tif 000002
【実用新案登録請求の範囲】
【請求項１】
軸方向一側は空気を吹き込むカップ部になり、他側は金管楽器本体に挿着するパイプ部になり、前記カップ部からパイプ部にかけて軸方向に吹込路を貫通して形成してなるマウスピースにおいて、前記吹込路の路面に沿って軸方向に整流溝を形成してあることを特徴とする金管楽器用マウスピース。
【請求項２】
前記整流溝は、溝幅及び溝深さを約０．２ｍｍ以上１ｍｍ以内に設定してあることを特徴とする請求項１記載の金管楽器用マウスピース。
【請求項３】
前記整流溝は、前記吹込路の路面の全長又は一部に形成してあることを特徴とする請求項１記載の金管楽器用マウスピース。
【請求項４】
軸方向一側は空気を吹き込むカップ部になり、他側は金管楽器本体に挿着するパイプ部になり、前記カップ部からパイプ部にかけて軸方向に吹込路を貫通して形成してなるマウスピースにおいて、前記パイプ部は先端面側に位置して外周面に振動用溝を周設してあることを特徴とする金管楽器用マウスピース。
【請求項５】
前記振動用溝は、溝幅を溝深さより大きい値に設定してあることを特徴とする請求項４記載の金管楽器用マウスピース。
【請求項６】
前記振動用溝は、溝壁を傾斜させて形成してあることを特徴とする請求項４記載の金管楽器用マウスピース。
【考案の詳細な説明】
【技術分野】
【０００１】
本考案は、トランペット等の金管楽器に用いるマウスピースに関し、練習、経験が少ない人でも金管楽器を容易に吹奏することができるし、音質を向上させることができる金管楽器用マウスピースに関する。
【背景技術】
【０００２】
金管楽器に用いるマウスピースは長い伝統の下にその基本形状が決まっており、カップ部やそのリムに形が異なるものがあることから、吹奏者は自分に合う形状のカップ部やリムのマウスピースを選んで使用することになるが、音を響かせる基本原理に変りはない。
【０００３】
ところで、金管楽器は吹奏者が唇の振動と呼気を調節することによって音を出し、更に音程、音色、ボリュームを変化させるものであるが、唇を振動させたり呼気を強弱させる技術は大変高度であるため、吹奏者の技量が上達するには長い年数の訓練を要するし、思うような音を出せないという技術上の困難性がある。しかし、マウスピースに関しては、特許文献１に示すように、吹奏時発生の液体が中空室の底に集まって空気路の液体による閉塞を実質的に防止して良好な音質を得る技術が提案されているのみで、吹き易さや音質の向上を図ったマウスピースに関する提案はなされていない。
【特許文献１】特表昭６１−５０２８４３号公報
【考案の開示】
【考案が解決しようとする課題】
【０００４】
本考案は上述した従来技術の未解決の問題点に鑑みなされたもので、長い年数の訓練を要することなく金管楽器を容易に吹くことが可能になるし、高度の技量を要することなく音にボリュウームを持たせ、音質を向上し、また音を遠くに響かせることができる金管楽器用マウスピースを提供することを目的とする。
【課題を解決するための手段】
【０００５】
上述した課題を解決するために構成された請求項１に係る本考案の手段は、軸方向一側は空気を吹き込むカップ部になり、他側は金管楽器本体に挿着するパイプ部になり、前記カップ部からパイプ部にかけて軸方向に吹込路を貫通して形成してなるマウスピースにおいて、前記吹込路の路面に沿って軸方向に整流溝を形成したものからなる。
【０００６】
そして、前記整流溝は、溝幅及び溝深さを約０．２ｍｍ以上１ｍｍ以内に設定するとよい。
【０００７】
また、前記整流溝は、前記吹込路の路面の全長又は一部に形成するとよい。
【０００８】
また、請求項４に係る本考案の手段は、軸方向一側は空気を吹き込むカップ部になり、他側は金管楽器本体に挿着するパイプ部になり、前記カップ部からパイプ部にかけて軸方向に吹込路を貫通して形成してなるマウスピースにおいて、前記パイプ部は先端面側に位置して外周面に振動用溝を周設したものからなる。
【０００９】
そして、前記振動用溝は、溝幅を溝深さより大きい値に設定するとよい。
【００１０】
また、前記振動用溝は、溝壁を傾斜させて形成するとよい。
【考案の効果】
【００１１】
本考案は以上詳述した如く構成したから、下記の諸効果を奏する。
（１）カップ部からパイプ部にかけて吹込路の路面に整流溝を形成したから、唇の振動と空気の流れがよりスムーズになり、経験の浅い人でも音を出し易いし、音を遠くに響かせることができる。
（２）カップ部とパイプ部に形成する整流溝の位置及び長さによって、音域の拡大、音色の変化、音のスピードを容易に変えることができ、高度な技術を習得していない人でも金管楽器の吹奏を楽しむことできる。
（３）カップ部に整流溝を形成することにより、唇の位置が決まり易い。
（４）整流溝は、溝幅及び溝深さを約０．２ｍｍ以上１ｍｍ以内に設定することにより、音質や響きについて所望の効果を得ることができる。
（５）パイプ部の先端面側に位置して外周面に振動用溝を周設することにより、先端面側の振動がより明確になって低音から高音への音域が広がるし、音が響き易くなる。
（６）振動用溝は、溝幅を溝深さより大きい値に設定することにより、パイプ部の先端面側はより振動し易くなり、遠くまで音を響かせることができる。
（７）振動用溝は溝壁を傾斜させて形成することにより、パイプ部の先端面側が従来にない振動を有する音を発生するマウスピースにすることができる。
【考案を実施するための最良の形態】
【００１２】
以下、本考案の実施の形態をトランペットを例に挙げて図面に基づき詳述する。図１乃至図６は第１の実施の形態を示す。図１及び図２において、１はマウスピースで、該マウスピース１は吹奏者が唇を当てて空気を吹き込むカップ部２と、首部３を介して該カップ部２の軸方向他側に位置し、トランペット本体Ａのマウスピースレシーバーａに挿着するパイプ部４とを金属材料により一体に成形したものからなっている。
【００１３】
５は前記マウスピース１のカップ部２の先端面であるリム面２Ａからパイプ部４の先端面４Ａにかけて軸方向に貫通して形成した吹込路を示す。該吹込路５はカップ部２に形成したラッパ状流路部５Ａと、該ラッパ状流路部５Ａに続いて首部３に形成した絞り部であるスロート部５Ｂと、該スロート部５Ｂに続いてパイプ部４に形成され、パイプ部４の先端面４Ａに向けて次第に拡径するボア部５Ｃとからなっている。
【００１４】
トランペットに使用するマウスピース１の基本的構成は上述の如くであるが、本実施の形態の特徴とするところは、マウスピース１の吹込路５の路面に、同一直線上に位置させて吹込み整流溝６と吹出し整流溝７を軸方向に夫々設けたことにある。即ち、該吹込み整流溝６はラッパ状流路部５Ａに位置してカップ部２に形成してあり、その始端６Ａはラッパ状流路部５Ａの途中に位置し、終端６Ｂはスロート部５Ｂに位置している。また、吹出し整流溝７はボア部５Ｃに位置してパイプ部４に形成してあり、その始端７Ａはボア部５Ｃの先端寄りに位置し、終端７Ｂはボア部５Ｃの先端、即ちパイプ部４の先端面４Ａに位置している。そして、本願の考案者が鋭意研究した結果、両整流溝６、７は溝幅及び溝深さを約０．２ｍｍ以上１ｍｍ以内に設定することで、トランペットを吹き易くまた所望の音質を得ることができることが検証された。なお、溝幅及び溝深さの値を約としたのは、加工上の誤差は含むことにある。
【００１５】
本実施の形態のマウスピース１は上述の構成からなり、カップ部２に位置して吹込み整流溝６を形成することにより、空気の流れを一定の早さにすることができることから、音を大きく、かつ良く響かせることができる。また、吹出し整流溝７をパイプ部４の先端面４Ａ側に形成することにより、音の抜けと音色が良くなるし、音域も広がる。
【００１６】
図３及び図４は第１の実施の形態の変形例に係るマウスピース１１を示し、その特徴とするところは、吹出し整流溝７に加えて、ラッパ状流路部５Ａに位置してカップ部２のリム面２Ａからスロート部５Ｂにかけて吹込み整流溝１２を形成したことにある。このように構成することにより、音の抜けが良くなると共に音色も良くなり、音のスピードアップと音域が広がる特徴を得ることができる。また、マウス部２に対して唇の位置を決め易い利点がある。
【００１７】
更に、図５及び図６は他の変形例に係るマウスピース２１を示し、その特徴とするところは、吹込路５の路面全長にわたってマウスピース２１に整流溝２２を形成したことにある。この構成によれば、音の通りが良くなって抜けるようになるので、音を遠くにも良く響かせることができる。
【００１８】
次に、図７乃至図１０は第２の実施の形態を示す。なお、本実施の形態において第１の実施の形態の構成要素と同一の構成要素には同一の符号を付して援用し、その説明を省略する。図７及び図８において、３１はマウスピースを示し、該マウスピース３１はカップ部３２と、首部３３を介して該カップ部３２の軸方向他側に位置するパイプ部３４とから一体に形成し、カップ部３２のリム面３２Ａからパイプ部３４の先端面３４Ａにかけて吹込路５を貫通して形成したものからなっている。
【００１９】
３５は前記パイプ部３４の先端面３４Ａ側、即ち先端面３４Ａから軸方向に約１０ｍｍに位置して外周面３４Ｂに周設した振動用溝で、該振動用溝３５は幅及び深さを約０．２ｍｍ以上１ｍｍ以内に設定してある。このようにパイプ部３４の先端面３４Ａ側に振動用溝３５を形成することにより、パイプ部３４の先端面３４Ａ側が振動性に優れることから空気が良く振動し、音の響きを良くすることができる。
【００２０】
図９は変形例に係るマウスピース４１を示す。該マウスピース４１はカップ部４２と首部４３とパイプ部４４を一体に形成し、カップ部４２のリム面４２Ａからパイプ部４４の先端面４４Ａにかけて吹込路５を貫通して形成したものからなる。このマウスピース４１の特徴とするところは、パイプ部４４の先端面４４Ａ側、即ち先端面４４Ａから軸方向に約１０ｍｍに位置して外周面４４Ｂに幅が約３ｍｍで、深さが約０．２ｍｍ以上１ｍｍの幅広振動用溝４５を周設し、該幅広振動用溝４５の軸方向一側に隣接して幅及び深さが約０．２ｍｍ以上１ｍｍ以内の振動用溝４６を周設したことにある。
【００２１】
この構成によれば、パイプ部４４の先端面４４Ａ側が更に振動性に優れるから、空気が良く振動し、音の響きを良くすることができる。
【００２２】
図１０は更に他の変形例に係るマウスピース５１を示す。該マウスピース５１はカップ部５２と首部５３とパイプ部５４を一体に形成し、カップ部５２のリム面５２Ａからパイプ部５４の先端面５４Ａにかけて吹込路５を貫通して形成したものからなる。このマウスピース５１の特徴とするところは、パイプ部５４の先端面５４Ａ側、即ち先端面５４Ａから軸方向に約１０ｍｍに位置して外周面５４Ｂに幅が約３ｍｍ、深さが約０．２ｍｍ以上１ｍｍの幅広の振動用溝５５を周設し、かつ該振動用溝５５の溝壁５５Ａを傾斜面にしたことにある。
【００２３】
このように構成することにより、従来のマウスピースにはない振動の音を発生するマウスピースにすることができる。
【００２４】
なお、本実施の形態ではマウスピースを使用する金管楽器としてトランペットを例に挙げたが、コルネット、ホルン、トロンボーン、フリューゲルホルン、ユーホニュウム、チューバ等の他の金管楽器にも本考案は用いることができるものである。
【００２５】
また、第１の実施の形態で示した整流溝と第２の実施の形態で示した振動用溝を併用してもよいものである。
【図面の簡単な説明】
【００２６】
【図１】図１乃至図６は本考案の第１の実施の形態に係り、図１は金管楽器用マウスピースの外観図である。
【図２】図１中のＩＩ−ＩＩ矢示方向断面図である。
【図３】変形例に係るマウスピースの外観図である。
【図４】図３中のＩＶ−ＩＶ矢示方向断面図である。
【図５】他の変形例に係るマウスピースの外観図である。
【図６】図５中のＶＩ−ＶＩ矢示方向断面図である。
【図７】図７乃至図１０は本考案の第２の実施の形態に係り、図７は金管楽器用マウスピースの外観図である。
【図８】図７中のＶＩＩＩ−ＶＩＩＩ矢示方向断面図である。
【図９】変形例に係るマウスピースの外観図である。
【図１０】他の変形例に係るマウスピースの外観図である。
【符号の説明】
【００２７】
１、１１、２１、３１、４１、５１    マウスピース
２、１２、２２、３２、４２、５２    カップ部
２Ａ、３２Ａ、４２Ａ、５２Ａ        リム面
４、３４、４４、５４                パイプ部
４Ａ、３４Ａ、４４Ａ、５４Ａ        先端面
５                        吹込路
６、７、１２、２２        整流溝
３５、４５、４６、５５    振動用溝
５５Ａ                    溝壁
【図１】
0003105230.tif 000003
【図２】
0003105230.tif 000004
【図３】
0003105230.tif 000005
【図４】
0003105230.tif 000006
【図５】
0003105230.tif 000007
【図６】
0003105230.tif 000008
【図７】
0003105230.tif 000009
【図８】
0003105230.tif 000010
【図９】
0003105230.tif 000011
【図１０】
0003105230.tif 000012